(57)【特許請求の範囲】
【請求項１】
収納部を有するケースと、ディスクを保持した状態で前記収納部に出し入れ可能なホルダーとを備え、前記ホルダーの前記ケースへの挿入端部側には、凸部からなる誤挿入防止部が形成され、前記ケースは、表裏を形成する表部カバーと裏部カバーとを有し、前記表部カバーと裏部カバーの何れか一方には、凸部からなる前記ケースの誤挿入防止部が形成され、前記ケースの誤挿入防止部の頂部と前記表部カバー、或いは裏部カバーとの間には、前記ホルダーの誤挿入防止部が通過可能な隙間が設けられ、前記ホルダーの誤挿入防止部が前記隙間を通過可能な状態と、前記ホルダーの誤挿入防止部が前記ケースの誤挿入防止部にぶつかった状態とによって、前記ホルダーの表裏を誤って挿入することを防止するようにし、前記ホルダーには、基部と、スリットを設けて前記基部から弾性を持たせた弾性腕部と、該弾性腕部の側部に設けた凸状の抜け止め部とを有し、前記抜け止め部が前記ケースの前記誤挿入防止部を乗り越えて前記ケースの前記誤挿入防止部に係止して、前記ケースからの前記ホルダーの抜け止めを行うようにしたことを特徴とする光ディスクカートリッジ。
【発明の詳細な説明】
【０００１】
【発明の属する技術分野】
本発明は、光ディスクを出し入れ可能にした光ディスクカートリッジに関する。
【０００２】
【従来の技術】
従来の光ディスクカートリッジを図３５に基づいて説明すると、光ディスクＤを収納するためのケース２１は、収納部２１ａと、一側面に設けられ、ディスクＤを出し入れするための収容部２１ｂとを備えている。
また、摘み部２２ａを有する蓋部２２は、収容部２１ｂに開閉可能に取り付けられている。
そして、ディスクＤを出し入れする際に、摘み部２２ａでディスクＤの表裏面を挟んで、ディスクＤを収納部２１ａに出し入れできるようになっている。
これは、ディスクＤを出し入れする際に、ディスクＤに指紋等によって汚れるのを防止するためである。
【０００３】
【発明が解決しようとする課題】
従来の光ディスクカートリッジは、蓋部２２が左右が対称的な形状をなしているため、蓋部２２のケース２１への取付において、蓋部２２の表裏を誤ってケース２１に挿入するという問題がある。
また、従来のものでは、一見して蓋部２２の表裏を判別することが出来ないという問題がある。
また、この蓋部２２の誤挿入に伴い、ディスクＤも表裏が誤挿入されるという問題が生じる。
【０００４】
【課題を解決するための手段】
上記課題を解決するための第１の手段として、収納部を有するケースと、ディスクを保持した状態で前記収納部に出し入れ可能なホルダーとを備え、前記ホルダーの前記ケースへの挿入端部側には、凸部からなる誤挿入防止部が形成され、前記ケースは、表裏を形成する表部カバーと裏部カバーとを有し、前記表部カバーと裏部カバーの何れか一方には、凸部からなる前記ケースの誤挿入防止部が形成され、前記ケースの誤挿入防止部の頂部と前記表部カバー、或いは裏部カバーとの間には、前記ホルダーの誤挿入防止部が通過可能な隙間が設けられ、前記ホルダーの誤挿入防止部が前記隙間を通過可能な状態と、前記ホルダーの誤挿入防止部が前記ケースの誤挿入防止部にぶつかった状態とによって、前記ホルダーの表裏を誤って挿入することを防止するようにし、前記ホルダーには、基部と、スリットを設けて前記基部から弾性を持たせた弾性腕部と、該弾性腕部の側部に設けた凸状の抜け止め部とを有し、前記抜け止め部が前記ケースの前記誤挿入防止部を乗り越えて前記ケースの前記誤挿入防止部に係止して、前記ケースからの前記ホルダーの抜け止めを行うようにした構成とした。
【０００８】
【発明の実施の形態】
前述したように、直径が１２０ｍｍのディスクにおけるＤＶＤ−ＲＡＭ用の光ディスクカートリッジは現存するが、ディスクの小型化の要望に伴い、直径が８０ｍｍのディスクに対するＤＶＤ−ＲＡＭ用の光ディスクカートリッジについては、現在、検討が進められている。
【０００９】
そこで、本発明は、直径が１２０ｍｍのディスクの光ディスクカートリッジにも適用できる光ディスクカートリッジを提供すると共に、直径が１２０ｍｍのディスクの光ディスクカートリッジのディスク駆動装置にも適用できる直径が８０ｍｍのディスクの光ディスクカートリッジを提供するものである。
【００１０】
本発明の光ディスクカートリッジを、ＤＶＤ−ＲＡＭに使用される８０ｍｍのディスクに適用したものについて説明すると、図１〜図２９は、何れも本発明の光ディスクカートリッジの第１実施例に係り、図１はその斜視図、図２は裏返した時の斜視図、図３は正面図、図４は図１の４−４線における断面図、図５は図３の５−５線における断面図、図６は図５のＺ部分における拡大図、図７は図６の７−７線における断面図、図８は操作部、及び操作体の動きを示す説明図、図９は図８の９−９線における断面図、図１０は光ディスクカートリッジとディスク駆動装置との関係を示す説明図である。
【００１１】
また、図１１は裏部カバーの平面図、図１２は裏部カバーの側面図、図１３は裏部カバーの正面図、図１４は裏部カバーの裏面図、図１５は図１１のＸ部分ににおける拡大断面図、図１６はホルダーの平面図、図１７はホルダーの正面図、図１８はホルダーの側面図、図１９はホルダーの裏面図、図２０はホルダーの要部を示す一部分図、図２１は図２０の２１−２１線における断面図、図２２は図２０の２２−２２線における断面図、図２３はホルダーの要部を示す一部分図、図２４は図２３の２４−２４線における断面図、図２５は図２３の２５−２５線における断面図、図２６は操作部の平面図、図２７は図２６の２７−２７線における断面図、図２８は操作体の平面図、図２９は図２８の２９−２９線における断面図である。
【００１２】
次に、ＤＶＤーＲＡＭに使用される８０ｍｍのディスクに適用した本発明の光ディスクカートリッジの第１実施例を、図１〜図２９に基づいて説明すると、ケース１は、合成樹脂の成型品からなる表部カバー２と裏部カバー３とで構成されている。
そして、表部カバー２と裏部カバー３とは、ほぼ同様の構成を有するので、ここでは裏部カバー３について詳細に説明し、表部カバー２については、裏部カバー３と相違する部分を説明することとする。
そして、裏部カバー３は、図１〜図１５に示すように、平板状の壁部３ａと、壁部３ａの左右に設けられた一対の側壁３ｂと、壁部３ａの正面部に、左右の一対の側壁３ｂとの間にスペース部３ｃ、３ｄを残して、矩形状の切り欠きによって形成された切り欠き部３ｅを有する。
【００１３】
また、裏部カバー３は、スペース部３ｃ、３ｄと対応する左右の正面の位置に設けられた正面壁３ｆ、３ｇを有し、この正面壁３ｆと３ｇには、外部から露出する位置に互いに形状の異なる凹部３ｈが設けられて、誤挿入防止部Ａが形成されている。
また、特に、図１１〜図１５に示すように、壁部３ａにおける右側のスペース部３ｃには、幅方向の中央部から遠くなるに従い、即ち、切り欠き部３ｅから遠くなるに従って、順次、並列状態にある二つの操作用孔３ｉ、３ｊと、突起部からなり、根本部分に薄肉部３ｋを有する破壊可能な阻止部３ｍとを設けている。
【００１４】
また、壁部３ａにおける左側のスペース部３ｄには、幅方向の中央部から遠くなるに従い、即ち、切り欠き部３ｅから遠くなるに従って、順次、書き込みの可否を識別するための円形状の孔からなる識別孔３ｎと、欠陥領域検査済みか否かを識別する円形状の孔からなる識別孔３ｐと、阻止部取り出し用の円形状の孔３ｑとを設けており、そして、識別孔３ｎと操作用孔３ｉ、識別孔３ｐと操作用孔３ｊ、及び孔３ｑと阻止部３ｍは、壁部３ａの中央部から等しい位置に設けられた状態となっている。
【００１５】
また、裏部カバー３は、後部に設けられたバネ収容部３ｒと、中心部に設けられた略円形状のクランプ用窓部３ｓと、このクランプ用窓部３ｓに連設された矩形状の読み書き用窓部３ｔと、クランプ用窓部３ｓと読み書き用窓部３ｔとの境部において読み書き用窓部３ｔの幅を狭めるように形成された突部３ｕと、裏部カバー３内部の後部に設けられた円弧状のリム部３ｖと、リム部３ｖの両端部に繋がって設けられ、側壁３ｂに対して傾斜した状態で後部に向かって延びたリム状部からなる規制部３ｗと、裏部カバー３内部の中央部にわたって設けられた台部３ｘと、一対の側壁３ｂの対向する位置に設けられた凹部からなる掛け止め部３ｙと、裏部カバー３の壁部３ａの裏面に設けられた矩形状のへこみ部３ｚとを有する。
【００１６】
次に、前記クランプ用窓部３ｓと読み書き用窓部３ｔの構成を説明すると、図１１において、読み書き用窓部３ｔでは、光ヘッドが直線方向に移動して、ディスクＤに対して情報の読み書きを行うが、この光ヘッドの移動方向を縦方向Ｅとし、また、光ヘッドの移動方向である縦方向Ｅに対して直交する方向を横方向Ｆとした時、クランプ用窓部３ｓは、縦方向Ｅにおいて、クランプ用窓部３ｓの中心Ｃ（ディスクＤの中心Ｃと同一）からの半径が１４ｍｍの円弧部、即ち、直径寸法Ｇが２８ｍｍの円弧部Ｊと、横方向Ｆにおいて、中心Ｃからの半幅寸法が１３．７ｍｍ（幅寸法Ｈが２７．４ｍｍ）で、光ヘッドの移動方向、即ち、縦方向Ｅと平行な直線部Ｋとで構成され、クランプ用窓部３ｓは、一対の直線部Ｋと、これを繋ぐ円弧部Ｊとで形成されている。
即ち、クランプ用窓部３ｓは、縦方向Ｅの直径寸法（２８ｍｍ）を、横方向Ｆの幅寸法（２７．４ｍｍ）より大きく形成したものとなっている。
そして、この構成は、表部カバー２のクランプ用窓部２ｓについても同様であると共に、上記直径寸法Ｇ、並びに幅寸法Ｈは、８０ｍｍのディスクのケース１の全幅寸法と、１２０ｍｍのディスク対応におけるディスク駆動装置のモータ（後述する）との関係で、前記寸法の±２ｍｍまでが好適である。
【００１７】
そして、表部カバー２は、上記裏部カバー３の壁部３ａ〜へこみ部３ｚと同様に壁部２ａ〜へこみ部２ｚを有するが、ここでは表部カバー２の詳細を省略し、一部の部品と部品番号のみ図示している。
そして、表部カバー２が裏部カバー３と異なる部分は、図１と図２の比較から分かるように、表部カバー２の壁部２ａの表面にへこみ部２ｚが形成されている点と、壁部２ａの右側のスペース部２ｆには、書き込みの可否を識別するための識別孔２ｎと、欠陥領域検査済みか否かを識別するための識別孔２ｐと、阻止部取り出し用の孔２ｑが設けられ、また、壁部２ａの左側のスペース部２ｇには、並列状態にある二つの操作用孔２ｉ、２ｊと、突起部からなり、根本部分に薄肉部２ｋを有する破壊可能な阻止部２ｍと設けた点で、裏部カバー３と相違している。
【００１８】
このような構成を有する表部カバー２と裏部カバー３とは、上下に組み合わされて、ケース１が形成されるものである。
そして、この表部、裏部カバー２、３が組み合わされた際、その間には、光ディスクＤ等を収納する収納部１ａが形成されると共に、正面壁２ｆ、２ｇと３ｆ、３ｇ間には、図３に示すように、左右において凹凸部の異なる孔からなる誤挿入防止部Ａが形成されたものとなっている。
また、表部、裏部カバー２、３が組み合わされた際、ケース１の右側において、表部カバー２の識別孔２ｎが裏部カバー３の操作用孔３ｉの一部と対向し、また、識別孔２ｐが操作用孔３ｊの一部と対向し、更に、孔２ｑが阻止部３ｍと対向した状態となっている。
【００１９】
更に、組み合わされた際、ケース１の左側において、表部カバー２の操作用孔２ｉの一部には表部カバー３の識別孔３ｎが対向し、また、操作用孔２ｊの一部には識別孔３ｐが対向し、更に、阻止部２ｍは孔３ｑに対向した状態となっている。
そして、操作用孔３ｉ、３ｊと対向する壁部２ａの識別孔２ｎ、２ｐの隣接部には、壁部２ａを残して操作用孔３ｉ、３ｊを塞ぐ閉鎖部１ｂが、また、操作用孔２ｉ、２ｊと対向する壁部３ａの識別孔３ｎ、３ｐの隣接部には、壁部３ａを残して操作用孔２ｉ，２ｊを塞ぐ閉鎖部１ｃが設けられた構成となっている。
【００２０】
更に又、組み合わされた際、表部カバー２のクランプ用窓部２ｓ、読み書き用窓部２ｔが裏部カバー３のクランプ用窓部３ｓ、読み書き用窓部３ｔと対向し、また、表部カバー２のリム部２ｖ、規制部２ｗが裏部カバー３のリム部３ｖ、規制部３ｗに当接すると共に、台部２ｘと３ｘとの間にディスクＤを保持するためのスペースを確保し、更に、側壁２ｂと３ｂとには、孔からなる掛け止め部２ｙ、３ｙが形成されたものとなっており、このような構成で、ケース１が形成されている。
【００２１】
また、シャッター４は、Ｕ字状の金属板からなり、表面に位置するクランプ用窓部２ｓと読み書き用窓部２ｔを塞ぐ矩形状の板状部４ａと、裏面に位置するクランプ用窓部３ｓと読み書き用窓部３ｔとを塞ぐ矩形状の板状部４ｂと、板状部４ａと４ｂを繋ぐ連結部４ｃとで構成されている。
そして、シャッター４は、ケース１の後部に連結部４ｃを位置させて、板状部４ａ、４ｂをそれぞれへこみ部２ｚ、３ｚに配設し、シャッター４がへこみ部２ｚ、３ｚの範囲で移動可能となっている。
また、ここでは図示しないが、表部カバー２と裏部カバー３のバネ収容部２ｒ、３ｒには、バネ部材（図示せず）が収納されていて、このバネ部材にシャッター４が関係づけられていて、シャッター４は、通常時、バネ部材によってクランプ用窓部２ｓ、３ｓと読み書き用窓部２ｔ、３ｔを塞ぐ中立位置にあり、また、シャッター４はバネ部材に抗して、右、或いは左に移動させた時、クランプ用窓部２ｓ、３ｓと読み書き用窓部２ｔ、３ｔを解放するようになると共に、シャッター４への押圧力を解除すると、バネ部材によって、再び、シャッター４はクランプ用窓部２ｓ、３ｓと読み書き用窓部２ｔ、３ｔを塞いだ中立位置に戻るようになっている。
【００２２】
また、合成樹脂の成型品からなるホルダー５は、特に、図１６〜図１９に示すように、基部５ａと、基部５ａの両端端部に設けられ、後方部に円弧状に延びて形成された弾性を有する一対の弾性腕部５ｂと、一対の弾性腕部５ｂの先端部に設けられた三角状の突部５ｃと、一対の弾性腕部５ｂの先端部の近傍で、弾性腕部５ｂの上下面から中心部側に突出形成された抱持部５ｄと、弾性腕部５ｂの円弧状の内面部と連接して、基部５ａを構成する矩形状の露出部５ｅの後部に設けられた溝部５ｆを有している。
【００２３】
そして、一対の弾性腕部５ｂは、互いにディスクＤ側、即ち、互いに近づく方向にバネ性を有していて、一対の弾性腕部５ｂ間においては、ディスクＤが溝部５ｆに挿入され、且つ、ディスクＤの上下面の一部を抱持部５ｄによって抱持すると共に、ディスクＤの左右の周縁部を一対の弾性腕部５ｂで抱持するようになっている。
また、一対の弾性腕部５ｂは、図１６に示すように、ディスクＤの半径Ｒ（ディスクの中心部Ｃ）の寸法を越えて基部５ａから後方に延びて形成さると共に、ディスクＤの半径Ｒを越えた位置に抱持部５ｄが形成されていて、基部５ａからディスクＤの中心部Ｃを越えた位置で、ディスクＤを抱持するようになっている。
【００２４】
そして、ホルダー５は、一対の弾性腕部５ｂでディスクＤを抱持した状態で、ケース１の収納部１ａに出し入れ可能となっており、ホルダー５がディスクＤと共に収納部１ａに収納された際は、図５に示すように、ホルダー５の先端部の突部５ｃがケース１の規制部２ｗ、３ｗに当接し、更に、ホルダー５を押し込むと、一対の弾性腕部５ｂはディスクＤの周縁部から離れる方向に拡開して、弾性腕部５ｂによるディスクＤの周縁部の抱持が解かれて、これによって、ディスクＤがフリーな状態になると共に、一対の弾性腕部５ｂは、規制部２ｗ、３ｗによって、ディスクＤ側への変形が防止された構成となっている。
また、ホルダー５がケース１に取り付けられた際、基部５ａの露出部５ｅは、切り欠き部２ｅ、３ｅ内に位置して、露出状態となっている。
また、ホルダー５をケース１から引き出す時は、一対の弾性腕部５ｂが規制部２ｗ、３ｗから外れると共に、自己のバネ性で弾性腕部５ｂがディスクＤ側に戻り、ディスクＤを抱持した状態で、ディスクＤを伴って引き出すことができるようになっている。
【００２５】
また、ホルダー５は、露出部５ｅの両側に位置し、基部５ａの一部を構成する延設部５ｇと、ホルダー５の幅方向の中心部から等しい位置において、左右の一対の延設部５ｇに設けられた略矩形状の孔からなる第１の受入部５ｈと、受入部５ｈを形成する側壁で構成される第１のガイド部５ｉと、ガイド部５ｉに間隔を置いて設けられたＶ字状の一対の凹部５ｊを有する。
そして、これらの第１の受入部５ｈは、それぞれ表部、裏部カバー２、３に設けられた識別孔２ｎ、３ｎに合致するようになっている。
【００２６】
また、ホルダー５は、ホルダー５の幅方向の中心部から等しい位置において、左右の一対の延設部５ｇの第１の受け部５ｈの外側に設けられた略矩形状の幅広の孔からなる第２の受入部５ｋと、受入部５ｋを形成する側壁で構成される第２のガイド部５ｍと、ガイド部５ｍに間隔を置いて設けられたＶ字状の一対の凹部５ｎを有する。
そして、これらの第２の受入部５ｋは、それぞれ表部、裏部カバー２、３に設けられた識別孔２ｐ、３ｐと、阻止部２ｍ、３ｍに合致するようになっている。
【００２７】
また、ホルダー５は、基部５ａの露出部５ｅの表裏面に設けられた判別マーク５ｐを有し、この判別マーク５ｐは、図２０〜図２５に示すように、楕円状の凹部５ｑと、凹部５ｑ内に設けられた突起５ｒで構成され、そして、基部５ａの表面には１個の突起５ｒを、また、基部５ａの裏面には２個の突起５ｑを設けて、この判別マーク５ｐは、触感によって表裏面が判別可能となっている。
【００２８】
また、ホルダー５は、基部５ａを構成する一対の延設部５ｇに設けられた誤挿入防止部Ｂを有し、この誤挿入防止部Ｂは、図１７に示すように、左右の延設部５ｇに互いに形状の異なる凹部５ｓを設けて構成されている。
そして、ホルダー５の誤挿入防止部Ｂは、ケース１に形成された異なる孔からなる誤挿入防止部Ａに合致したものとなっており、ホルダー５を正常な状態でケース１に挿入した時は、ホルダー５のケース１への挿入が可能であるが、ホルダー５を裏返してケース１に挿入した時は、誤挿入防止部Ａ、Ｂによって、ホルダー５のケース１への挿入が不能となる。
【００２９】
また、ホルダー５は、その両側部に設けられたバネ性のある一対の係止部５ｔを有し、この係止部５ｔは、ホルダー５をケース１の収納部１ａに挿入した際、表部、裏部カバー２、３の側壁２ｂ、３ｂに弾接した状態でケース１内に挿入され、係止部５ｔが掛け止め部２ｙ、３ｙに合致した時、自己のバネ性で係止部５ｔが拡開して掛け止め部２ｙ、３ｙに係止し、ホルダー５がケース１に取り付けられた状態となる。
そして、ホルダー５をケース１から取り出す時は、先ず、ケース１の外部より係止部５ｔをケース１内の方向に押圧して、係止部５ｔを掛け止め部２ｙ、３ｙから外した状態で、ホルダー５の基部５ａを引き抜くと、ホルダー５の取り出しができるようなっている。
【００３０】
また、合成樹脂の成型品からなる操作部６は、図２６、図２７に示すように、矩形状の封止部６ａと、封止部６ａに設けられた凹部からなる孔６ｂと、封止部６ａの一端から延びるバネ性ある係止部６ｃとを有する。
そして、この操作部６は、特に、図５〜図９に示すように、孔６ｂが表部カバー２の操作用孔２ｉに対向するように、ホルダー５の第１の受入部５ｈに収納された状態で、ホルダー５によってケース１の収納部１ａに収納されるようになっている。
また、操作部６が収納された際は、操作部６の上下面が表部、裏部カバー２、３で挟持され、側面が第１のガイド部５ｉに当接すると共に、係止部６ｃが凹部５ｊに係合した状態となっている。
即ち、操作部６は、表部カバー２の操作用孔２ｉ内、及び裏部カバー３の識別孔３ｎ内に突入しない状態で、スライド可能に取り付けられている。
【００３１】
そして、図６、図７に示すように、操作部６が正面に近い位置にある時、操作部６の封止部６ａで識別孔３ｎを塞ぎ、ディスク駆動装置に設けた検出ピン（図示せず）の侵入を阻止して、ディスクＤへの書き込みが可能となり、また、操作具（図示せず）を操作用孔２ｉに通して操作部６の孔６ｂに係止して、操作用孔２ｉに沿って操作部６を正面から離れる方向にスライドすると、図８、図９に示すように、操作部６は、第１のガイド部５ｉをガイドにしてスライドすると共に、係止部６ｃは、もう一つの凹部５ｊに係止して、操作部６の位置決めが行われる。
この時、操作部６の封止部６ａは、識別孔３ｎを開放し、検出ピンの侵入を可能として、ディスクＤへの書き込みを禁止するようになっている。
このように、操作部６のスライド移動によって、ディスクＤに対する書き込みの可否を識別するようになっている。
【００３２】
なお、図５においては、ケース１の左側に操作部６を配設したもので説明したが、ケース１の右側にも操作部６を配設しても良く、ケース１の右側に操作部６を配設する時は、図１、図２から分かるように、表部カバー２に識別孔２ｎが、また、裏部カバー３に操作用孔３ｉが設けられていることから、操作部６は、裏返しした状態で配設されたものとなっている。
そして、この場合のディスクＤの使用は、ケース１を裏返しした図２の状態で行うようになり、このように、ケース１の表裏を選択して、任意に書き込み可否を識別できるようになっている。
【００３３】
また、合成樹脂の成型品からなる操作体７は、図２８、図２９に示すように、矩形状の封止部７ａと、封止部７ａに設けられた凹部からなる孔７ｂと、この孔７ｂに並列して封止部７ａに設けられた貫通孔７ｃと、封止部７ａの一端から延びるバネ性ある係止部７ｄとを有する。
そして、この操作体７は、特に、図５〜図９に示すように、孔７ｂが表部カバー２の操作用孔２ｊに対向すると共に、貫通孔７ｃに表部カバー２の阻止部２ｍが挿入され、貫通孔７ｃが裏部カバー３の孔３ｑに対向した状態で、ホルダー５の第２の受入部５ｋに収納されると共に、ケース１の収納部１ａに収納されている。
また、操作体７が収納された際は、操作体７の動きが阻止部２ｍによって阻止されると共に、ケース１からのホルダー５の引き出しができない状態にあり、また、操作体７の上下面が表部、裏部カバー２、３で挟持され、側面が第２のガイド部５ｍに当接すると共に、係止部７ｄが凹部５ｎに係合した状態となっている。
即ち、操作体７は、表部カバー２の操作用孔２ｊ内、及び裏部カバー３の識別孔３ｐ、孔３ｑ内に突入しない状態で取り付けられている。
【００３４】
このように、ディスクＤがケース１内に収納され、操作体７の動きが阻止部２ｍによって阻止されている状態では、ディスクＤが欠陥領域検査済みとなっている。
そして、図６、図７に示すように、操作体７が正面に近い位置にある時、操作体７の封止部７ａで識別孔３ｐを塞ぎ、ディスク駆動装置に設けた検出ピン（図示せず）の侵入を阻止して、ディスクＤに対する欠陥領域検査済みを識別するようになっている。
しかし、必要に迫られて、本ケース１内のディスクＤを別のディスクＤに取り換えて、使用したい時が生ずる。
【００３５】
この時は、孔３ｐ、或いは阻止部２ｍの背面から操作具（図示せず）で、阻止部２ｍを破壊して、ケース１からのホルダー５と操作体７の引き出しが可能な状態にする。
次に、ホルダー５をケース１から引き出すと、第２の受入部５ｋによって操作体７が引き出されると共に、弾性腕部５ｂによってディスクＤが引き出される。そして、ディスクＤを別なものに交換した後、再度、ホルダー５と共に、ディスクＤと操作体７をケース１の収納部１ａに収納する。
この収納されたディスクＤは、欠陥領域検査が未処理の状態にあるため、操作具（図示せず）を操作用孔２ｊに通して操作体７の孔７ｂに係止して、操作用孔２ｊに沿って操作体７を正面から離れる方向にスライドすると、図８、図９に示すように、操作体７は、第２のガイド部５ｍをガイドにしてスライドすると共に、係止部７ｄは、もう一つの凹部５ｎに係止して、操作体７の位置決めが行われる。
【００３６】
この時、操作体７の封止部７ａは、識別孔３ｐを開放し、検出ピンの侵入を可能として、ディスクＤの欠陥領域検査が否であることを識別する。
このように、操作体７のスライド移動によって、ディスクＤに対する欠陥領域検査済みか否かを識別するようになっている。
また、図８の欠陥領域検査が否の状態で、ディスク駆動装置でディスクＤに対して欠陥領域検査処理を行った時は、ケース１をディスク駆動装置から取り出し、操作具により操作体７をスライドさせて、図６に示すような状態にする。
すると、事後、ディスクＤが欠陥領域検査済みであることを識別するようになる。
【００３７】
なお、図５においては、ケース１の左側に操作体７を配設したもので説明したが、ケース１の右側にも操作体７を配設しても良く、ケース１の右側に操作体７を配設する時は、図１、図２から分かるように、表部カバー２に識別孔２ｐが、また、裏部カバー３に操作用孔３ｊが設けられていることから、操作体７は、裏返しした状態で配設されたものとなっている。
そして、この場合のディスクＤの使用は、ケース１を裏返しした図２の状態で行うようになり、このため、この場合は、裏部カバー３に設けた阻止部３ｍを破壊して操作体７の移動を可能となし、欠陥領域検査済みか否かを識別するようになっている。
【００３８】
なお、阻止部２ｍ、３ｍは、表部、裏部カバー２、３と一体に設けたもので説明したが、表部、裏部カバー２、３とは別体のもので構成しても良い。
この場合、阻止部２ｍ、３ｍの位置には孔を設けて、この孔と孔２ｑ、３ｑに別体の阻止部２ｍ、３ｍを挿通して取り付けても良く、このようなものにおいては、表部、裏部カバー２、３を組み合わせてケース１を製造した後、ホルダー５と共に、ディスクＤ、操作部６、及び操作体７をケース１内に収納した後、別体の阻止部２ｍ、３ｍを取り付ければ組立が完了し、その製造が容易となる。
【００３９】
このように、ディスクＤの交換時、或いは光ディスクカートリッジの組立時、ケース１の誤挿入防止部Ａとホルダー５の誤挿入防止部Ｂによって、正確な組立を行うことができると共に、判別マーク５ｐによって、ホルダー５の組立時、或いは光ディスクカートリッジの使用時に、表裏を確実に判別できるものである。
【００４０】
本発明の光ディスクカートリッジは、上述したような構成を有し、このような光ディスクカートリッジは、図１０に示すように、ディスク駆動装置８に装填すると、シャッター４が移動してクランプ用窓部２ｓ、３ｓと読み書き用窓部２ｔ、３ｔが開放した状態となる。
また、ディスクＤの装填によって、ケース１の識別孔３ｎに対して検出ピン（図示せず）が、また、識別孔３ｐに対して検出ピン（図示せず）が突入して、書き込みの可否と、欠陥領域検査済みか否かを識別すると共に、テーブル９が支点９ａを中心に回転して、テーブル９に取り付けられたモータ１０のスピンドル１０ａをディスクＤの孔内に挿通させ、ハブ部１０ｂをディスクＤ面に当接させて、ディスクＤをクランプする。
そして、モータ１０によりりディスクＤを回転させた状態で、光ヘッド１１をディスクＤの半径方向（図１１の縦方向Ｅ）に移動させて、ディスクＤに書き込み、或いは、ディスクＤからの読み出しを行うものである。
【００４１】
また、ハブ部１０ｂの外径の直径寸法は、一般的に２５ｍｍ〜２９ｍｍが多く、そして、この点を考慮して、本発明のクランプ用窓部２ｓ、３ｓの横方向Ｆの幅寸法Ｈを２７．４ｍｍに対して±２ｍｍとし、しかも、ハブ部１０ｂは、テーブル９の支点９ａを中心として円運動を行うために、クランプ用窓部２ｓ、３ｓの縦方向Ｅの直径寸法Ｇを２８ｍｍに対して±２ｍｍとしている。
このように、クランプ用窓部２ｓ、３ｓの縦方向Ｅを大きくすることにより、ハブ部１０ｂの回転運動におけるケース１との衝突を避け、また、クランプ用窓部２ｓ、３ｓの横方向Ｆを小さくすることにより、シャッター４の移動量を確保することができるものである。
【００４２】
また、図３０〜図３４は本発明の光ディスクカートリッジの第２実施例を示し、図３０はホルダーの要部の斜視図、図３１はケースの要部の断面図、図３２は図３１の３２−３２線における断面図、図３３はホルダーがケースに正常な状態で挿入された状態を示す断面図、図３４はホルダーがケースに誤挿入された状態を示す断面図である。
【００４３】
そして、図３０〜図３４において本発明の光ディスクカートリッジの第２実施例を説明すると、ケース１はディスクＤを収納するための収納部１ａを有すると共に、前記実施例と同様に、表部カバー２と裏部カバー３とで構成されている。また、表部カバー２の両側に位置する側壁２ｂには、ケース１の収納部１ａ内に位置する箇所に、凸部からなる一対の誤挿入防止部Ａが設けられると共に、裏部カバー３の両側壁３ｂには、誤挿入防止部Ａより収納部１ａの奥部において、一対のストッパー部１５が凹部によって形成されて、誤挿入防止部Ａの頂部と裏部カバー３の壁部３ａの内壁との間には、隙間Ｓが形成された状態となっている。
なお、表部カバー２に設けた誤挿入防止部Ａは裏部カバー３に、また、裏部カバー３に設けたストッパー部１５は表部カバー２に設けて、誤挿入防止部Ａの頂部と表部カバー２の壁部２ａの内壁との間に、隙間Ｓを設けても良い。
【００４４】
また、ホルダー５は、基部５ａと、スリット５ｕを設けて基部５ａの両側から弾性を持たせた一対の弾性腕部５ｖと、弾性腕部５ｖの側部に設けられた凸部から成る誤挿入防止部Ｂと、弾性腕部５ｖの側部に設けられた凸状の抜け止め部５ｗとを有している。
そして、このホルダー５は、ケース１に正常な状態で挿入される時、図３３に示すように、誤挿入防止部Ｂがケース１の誤挿入防止部Ａに係合することなく、隙間Ｓを通って収納部１ａの奥部にまでの挿入が許容されるようになる。
また、正常な状態でホルダー５をケース１に挿入して行くと、先ず、抜け止め部５ｗが誤挿入防止部Ａに当接し、更に、ホルダー５の挿入を続けると、弾性腕部５ｖが内方に撓んだ状態で押し込まれ、そして、抜け止め部５ｗが誤挿入防止部Ａを乗り越えて、抜け止め部５ｗが誤挿入防止部Ａの奥部に係止して、ホルダー５のケース１からの抜け止めを行うと共に、ホルダー５の誤挿入防止部Ｂがケース１のストッパー部１５にぶつかって、ホルダー５のそれ以上の挿入を防止するようになっている。
【００４５】
また、ホルダー５をケース１から取り外す時は、ケース１の側壁の外部より、ホルダー５の抜け止め部５ｗを押圧して、抜け止め部５ｗと誤挿入防止部Ａとの係合を外した状態で、ホルダー５をケース１から引き抜くと、ホルダー５の取り外しができる。
【００４６】
また、ホルダー５が表裏反転して誤った状態で挿入される時、図３４に示すように、ホルダー５の凸状の誤挿入防止部Ｂが収納部１ａ内にある凸状の誤挿入防止部Ａにぶつかって、ホルダー５のケース１への挿入を阻止して、ホルダー５の誤挿入を防止するようになっている。
【００４７】
【発明の効果】
本発明の光ディスクカートリッジは、収納部１ａを有するケース１と、ディスクＤを保持した状態で収納部１ａに出し入れ可能なホルダー５とを備え、ホルダー５には、ケース１に対して表裏を誤って挿入してしまうことを防止するための誤挿入防止部Ｂを設けたため、ケース１に対するホルダー５の表裏の挿入を間違えることが無く、確実な挿入ができると共に、ディスクＤも表裏の挿入を間違えることのない光ディスクカートリッジを提供できる。
また、光ディスクカートリッジは、一見して表裏が判別できるものである。
また、誤挿入防止部Ａ、Ｂは、ホルダー５とケース１の一方に凹部、他方に凸部を設けて構成したため、その構成が簡単で、製作性の良い光ディスクカートリッジを提供できる。
また、ホルダー５は、ケース１から露出する基部５ａを有し、誤挿入防止部Ｂが基部５ａに設けられると共に、ケース１の正面壁に誤挿入防止部Ａが設けられているため、誤挿入防止部Ｂがケース１から露出して、ケース１の外部から判別できるようにしたものであるため、挿入方向が目視で判断できて、組立性が良好で、特に、ディスクＤを交換する際に好適な光ディスクカートリッジを提供できる。
【００４８】
また、誤挿入防止部Ａ，Ｂは、ケース１の厚さ方向の側壁２ｂを利用して形成されているため、ケース１の表面部か裏面部を利用して誤挿入防止を図ると、表面部、又は裏面部の撓みによって確実な誤挿入防止ができない場合があるが、ケース１の厚み方向の側壁２ｂを利用して誤挿入防止を図るため、撓みはなく、確実な誤挿入防止を実現できる光ディスクカートリッジを提供できる。
また、凸部から成るケース１の誤挿入防止部Ａは、ケース１の収納部１ａ内に位置する側壁に設けられると共に、凸部から成るホルダー５の誤挿入防止部Ｂは、ホルダー５の側部に設けたため、ホルダー５を若干挿入した状態で、誤挿入の判別ができ、ホルダー５の挿入初期のいらだちが無く、且つ、スペースファクタの良好な光ディスクカートリッジを提供できる。
また、ケース１は、表裏を形成する表部カバー２と裏部カバー３とを有し、表部カバー２と裏部カバー３の何れか一方には、ホルダー５の誤挿入防止部Ｂと係止可能なケース１の誤挿入防止部Ａが設けられると共に、ケース１の誤挿入防止部Ａの頂部と表部カバー２、或いは裏部カバー３との間には、ホルダー５の誤挿入防止部Ｂが通過可能な隙間Ｓが設けられ、ホルダー５の誤挿入防止部Ｂが隙間Ｓを通過可能な状態と、ホルダー５の誤挿入防止部Ｂがケース１の誤挿入防止部Ａに係止した状態とによって、ホルダー５の表裏を誤って挿入することを防止したため、その構成が簡単で、製作性が良く、安価であると共に、一定の挿入後において判別ができ、ホルダー５の挿入初期のいらだちが無く、且つ、スペースファクタの良好な光ディスクカートリッジを提供できる。
【００４９】
また、ホルダー５には、基部５ａと、スリット５ｕを設けて基部５ａから弾性を持たせた弾性腕部５ｖと、該弾性腕部５ｖの側部に設けた凸状の抜け止め部５ｗとを有し、抜け止め部５ｗがケース１の誤挿入防止部Ａを乗り越えてケース１の誤挿入防止部Ａに係止して、ケース１からのホルダー５の抜け止めを行うようにしたため、その構成の簡単な抜け止め構造が得られると共に、ホルダー５の抜け止めの確実な光ディスクカートリッジを提供できる。
また、ケース１にはストッパー部１５を設け、ホルダー１のケース１への挿入時において、抜け止め部５ｗがケース１の誤挿入防止部Ａを乗り越えた後、ホルダー５がストッパー部１５に当接して、ホルダー５のそれ以上の挿入を阻止するようにしたため、ホルダー５の過剰挿入によるディスクＤの損傷を防止できる光ディスクカートリッジを提供できる。
また、ホルダー５の誤挿入防止部Ｂがストッパー部１５に当接して、ホルダー５のそれ以上の挿入を阻止するようにしたため、その構成が簡単で、安価で、スペースファクタの良い光ディスクカートリッジを提供できる。
【００５０】
また、基部５ａの表裏面には、表裏面を判別するための判別マーク５ｐがそれぞれ形成されているため、カートリッジ使用時の表裏の判別が確実となり、使用に便利な光ディスクカートリッジを提供できる。
また、判別マーク５ｐは、触感によって表裏面を判別可能な手段によって構成されているため、手触りでカートリッジの表裏の判別ができ、使用時に、極めて便利な光ディスクカートリッジを提供できる。
また、判別マーク５ｐは、楕円状の凹部５ｑと、該凹部５ｑ内に表裏面で数を異ならせて形成した突起５ｒで構成したため、その構成が簡単で、ホルダー５の板厚の範囲で形成でき、薄型で、生産性の良い光ディスクカートリッジを提供できる。
【図面の簡単な説明】
【図１】本発明の光ディスクカートリッジの第１実施例の斜視図。
【図２】本発明の光ディスクカートリッジの第１実施例に係り、裏返した時の斜視図。
【図３】本発明の光ディスクカートリッジの第１実施例の正面図。
【図４】図１の４−４線における断面図。
【図５】図３の５−５線における断面図。
【図６】図５のＺ部分における拡大図。
【図７】図６の７−７線における断面図。
【図８】本発明の光ディスクカートリッジの第１実施例に係り、操作部、及び操作体の動きを示す説明図。
【図９】図８の９−９線における断面図。
【図１０】本発明の光ディスクカートリッジの第１実施例とディスク駆動装置との関係を示す説明図。
【図１１】本発明の光ディスクカートリッジの第１実施例に係る裏部カバーの平面図。
【図１２】本発明の光ディスクカートリッジの第１実施例に係る裏部カバーの側面図。
【図１３】本発明の光ディスクカートリッジの第１実施例に係る裏部カバーの正面図。
【図１４】本発明の光ディスクカートリッジの第１実施例に係る裏部カバーの裏面図。
【図１５】図１１のＸ部分における拡大断面図。
【図１６】本発明の光ディスクカートリッジの第１実施例に係るホルダーの平面図。
【図１７】本発明の光ディスクカートリッジの第１実施例に係るホルダーの正面図。
【図１８】本発明の光ディスクカートリッジの第１実施例に係るホルダーの側面図。
【図１９】本発明の光ディスクカートリッジの第１実施例に係るホルダーの裏面図。
【図２０】本発明の光ディスクカートリッジの第１実施例に係るホルダーの要部を示す一部分図。
【図２１】図２０の２１−２１線における断面図。
【図２２】図２０の２２−２２線における断面図。
【図２３】本発明の光ディスクカートリッジの第１実施例に係るホルダーの要部を示す一部分図。
【図２４】図２３の２４−２４線における断面図。
【図２５】図２３の２５−２５線における断面図。
【図２６】本発明の光ディスクカートリッジの第１実施例に係る操作部の平面図。
【図２７】図２６の２７−２７線における断面図。
【図２８】本発明の光ディスクカートリッジの第１実施例に係る操作体の平面図。
【図２９】図２８の２９−２９線における断面図。
【図３０】本発明の光ディスクカートリッジの第２実施例に係るホルダーの要部の斜視図。
【図３１】本発明の光ディスクカートリッジの第２実施例に係るケースの要部の断面図。
【図３２】図３１の３２−３２線における断面図。
【図３３】本発明の光ディスクカートリッジの第２実施例に係り、ホルダーがケースに正常な状態で挿入された状態を示す断面図。
【図３４】本発明の光ディスクカートリッジの第２実施例に係り、ホルダーがケースに誤挿入された状態を示す断面図。
【図３５】従来の光ディスクカートリッジの分解斜視図。
【符号の説明】
１  ケース
１ａ  収納部
１ｂ  閉鎖部
１ｃ  閉鎖部
２  表部カバー
２ａ  壁部
２ｂ  側壁
２ｃ  スペース部
２ｄ  スペース部
２ｅ  切り欠き部
２ｆ  正面壁
２ｇ  正面壁
２ｈ  凹部
２ｉ  操作用孔
２ｊ  操作用孔
２ｋ  薄肉部
２ｍ  阻止部
２ｎ  識別孔
２ｐ  識別孔
２ｑ  孔
２ｒ  バネ収容部
２ｓ  クランプ用窓部
２ｔ  読み書き用窓部
２ｕ  突部
２ｖ  リム部
２ｗ  規制部
２ｘ  台部
２ｙ  掛け止め部
２ｚ  へこみ部
３  裏部カバー
３ａ  壁部
３ｂ  側壁
３ｃ  スペース部
３ｄ  スペース部
３ｅ  切り欠き部
３ｆ  正面壁
３ｇ  正面壁
３ｈ  凹部
３ｉ  操作用孔
３ｊ  操作用孔
３ｋ  薄肉部
３ｍ  阻止部
３ｎ  識別孔
３ｐ  識別孔
３ｑ  孔
３ｒ  バネ収容部
３ｓ  クランプ用窓部
３ｔ  読み書き用窓部
３ｕ  突部
３ｖ  リム部
３ｗ  規制部
３ｘ  台部
３ｙ  掛け止め部
３ｚ  へこみ部
４  シャッター
４ａ  板状部
４ｂ  板状部
４ｃ  連結部
５  ホルダー
５ａ  基部
５ｂ  弾性腕部
５ｃ  突部
５ｄ  抱持部
５ｅ  露出部
５ｆ  溝部
５ｇ  延設部
５ｈ  第１の受入部
５ｉ  第１のガイド部
５ｊ  凹部
５ｋ  第２の受入部
５ｍ  第２のガイド部
５ｎ  凹部
５ｐ  判別マーク
５ｑ  凹部
５ｒ  突部
５ｓ  凹部
５ｔ  係止部
５ｕ  スリット
５ｖ  弾性腕部
５ｗ  抜け止め部
６  操作部
６ａ  封止部
６ｂ  孔
６ｃ  係止部
７  操作体
７ａ  封止部
７ｂ  孔
７ｃ  貫通孔
７ｄ  係止部
８  ディスク駆動装置
９  テーブル
９ａ  支点
１０  モータ
１０ａ  スピンドル
１０ｂ  ハブ部
１１  光ヘッド
１５  ストッパー部
Ａ  誤挿入防止部
Ｂ  誤挿入防止部
Ｃ  中心
Ｄ  ディスク
Ｅ  縦方向
Ｆ  横方向
Ｇ  直径寸法
Ｈ  幅寸法
Ｊ  円弧部
Ｋ  直線部
Ｓ  隙間
【図１】
0003840346.tif 000002
【図２】
0003840346.tif 000003
【図３】
0003840346.tif 000004
【図４】
0003840346.tif 000005
【図５】
0003840346.tif 000006
【図６】
0003840346.tif 000007
【図７】
0003840346.tif 000008
【図８】
0003840346.tif 000009
【図９】
0003840346.tif 000010
【図１０】
0003840346.tif 000011
【図１１】
0003840346.tif 000012
【図１２】
0003840346.tif 000013
【図１３】
0003840346.tif 000014
【図１４】
0003840346.tif 000015
【図１５】
0003840346.tif 000016
【図１６】
0003840346.tif 000017
【図１７】
0003840346.tif 000018
【図１８】
0003840346.tif 000019
【図１９】
0003840346.tif 000020
【図２０】
0003840346.tif 000021
【図２１】
0003840346.tif 000022
【図２２】
0003840346.tif 000023
【図２３】
0003840346.tif 000024
【図２４】
0003840346.tif 000025
【図２５】
0003840346.tif 000026
【図２６】
0003840346.tif 000027
【図２７】
0003840346.tif 000028
【図２８】
0003840346.tif 000029
【図２９】
0003840346.tif 000030
【図３０】
0003840346.tif 000031
【図３１】
0003840346.tif 000032
【図３２】
0003840346.tif 000033
【図３３】
0003840346.tif 000034
【図３４】
0003840346.tif 000035
【図３５】
0003840346.tif 000036